(57)【要約】【課題】乾燥運転時において洗浄槽内気と外気とを斑なく確実に混合させ、排気の温度低減と排気内水分量の削減を促進して排気の快適性を高める。【解決手段】洗浄槽１内部の湿気を排出する排気口と７送風機６を有する乾燥手段９を設け、乾燥手段９は、排気口７の上流側に配置した外気と洗浄槽内気を混合する混合部１３と、混合部１３での外気と洗浄槽内気との混合を促進する混合促進手段１７と、混合部１３で過飽和となって霧化した水分を捕捉し回収する霧滴回収部２０と、回収した水を乾燥手段９から排出する回収水排出部２２を備えたことにより、排気の温湿度を低減して熱風感を防止することができる。【選択図】図１
2008073398.tif 000002
【特許請求の範囲】
【請求項１】
被洗浄物を収納する洗浄槽と、洗浄水を被洗浄物に噴出循環させる洗浄手段と、洗浄水を加熱する加熱手段と、前記洗浄槽内部の湿気を排出する排気口と送風機を有する乾燥手段を設け、前記乾燥手段は、前記排気口の上流側に配置した外気と洗浄槽内気を混合する混合部と、前記混合部での外気と洗浄槽内気との混合を促進する混合促進手段と、前記混合部で過飽和となって霧化した水分を捕捉し回収する霧滴回収部と、回収した水を前記乾燥手段から排出する回収水排出部を備えた食器洗い乾燥機。
【請求項２】
混合促進手段は、壁面から混合通路に延伸させた突出端を有する面状体を流れ方向に順次その突出端の方向が異なるように交互に配置して、流れ方向を屈曲反転させる乱れ促進体を混合部に備えた請求項１記載の食器洗い乾燥機。
【請求項３】
混合促進手段は、細かな隙間が連通する連通路を多数有する多孔体を混合部に設けた請求項１記載の食器洗い乾燥機。
【請求項４】
霧滴回収部は、細かな開口を多数有する網目状体とした請求項１〜３のいずれか１項に記載の食器洗い乾燥機。
【請求項５】
網目状体は、流れ方向に複数配置した請求項４記載の食器洗い乾燥機。
【請求項６】
霧滴回収部は、筐体に熱的に接続した冷却部を備えた請求項１〜５のいずれか１項に記載の食器洗い乾燥機。
【請求項７】
霧滴回収部は、混合促進手段の下流側に配置した請求項１〜６のいずれか１項に記載の食器洗い乾燥機。
【請求項８】
混合促進手段および霧滴回収部は、細かな隙間が連通する連通路を多数有する多孔体として一体化した請求項１記載の食器洗い乾燥機。
【請求項９】
回収水排出部は洗浄槽に連通させた請求項１記載の食器洗い乾燥機。
【発明の詳細な説明】
【技術分野】
【０００１】
本発明は、キッチン等に設置され被洗浄物の収納及び自動洗浄、乾燥を行う食器洗い乾燥機に関するものである。
【背景技術】
【０００２】
従来、この種の食器洗い乾燥機は、洗浄終了後に被洗浄物を乾燥させるため外気を洗浄槽内に送風して洗浄槽内の高温度で多湿な空気を排出する構成としている（例えば、特許文献１参照）。
【０００３】
図５は、特許文献１に記載された従来の食器洗い乾燥機を示すものである。図５に示すように、被洗浄物を収納する洗浄槽１と、洗浄水を噴射する洗浄ノズル２と洗浄水を加圧する洗浄ポンプ３を有する洗浄手段４と、洗浄水を加熱する加熱手段５と、洗浄槽１に外気を送風する送風機６と、洗浄槽１内部の空気を排気する排気口７と、排気口７に設けた外気を混合させる排気補助手段８から構成されている。
【特許文献１】特開２０００−１６６８４７号公報
【発明の開示】
【発明が解決しようとする課題】
【０００４】
しかしながら、前記従来の構成では排気口に流入する高温高湿の主流が持つ流体力で新たな外気を副流として排気に混合させるもので、高温多湿の洗浄槽内排気の温度を低減できるものの、排出される風の熱風感を回避できるまで十分冷却するには風量が足りないという課題を有していた。
【０００５】
本発明は、前記従来の課題を解決するもので、乾燥運転時において洗浄槽内気と外気とを斑なく確実に混合させ、排気の温度低減と排気内水分量の削減を促進して排気の快適性を高めた食器洗い乾燥機を提供することを目的とする。
【課題を解決するための手段】
【０００６】
前記従来の課題を解決するために、本発明の食器洗い乾燥機は、乾燥手段は、排気口の上流側に配置した外気と洗浄槽内気を混合する混合部と、前記混合部での外気と洗浄槽内気との混合を促進する混合促進手段と、混合部で過飽和となって霧化した水分を捕捉し回収する霧滴回収部と、回収した水を乾燥手段から排出する回収水排出部を備えたものである。
【０００７】
これによって、乾燥運転時において混合部を流れる外気と洗浄槽内気とを斑なく確実に混合できるので、温湿度を低減した排気による熱風感の確実な防止ができる。
【発明の効果】
【０００８】
本発明の食器洗い乾燥機は、乾燥運転時に排出される温湿度を低減した排気による熱風感を防止できる。
【発明を実施するための最良の形態】
【０００９】
第１の発明は、被洗浄物を収納する洗浄槽と、洗浄水を被洗浄物に噴出循環させる洗浄手段と、洗浄水を加熱する加熱手段と、前記洗浄槽内部の湿気を排出する排気口と送風機を有する乾燥手段を設け、前記乾燥手段は、前記排気口の上流側に配置した外気と洗浄槽内気を混合する混合部と、前記混合部での外気と洗浄槽内気との混合を促進する混合促進手段と、前記混合部で過飽和となって霧化した水分を捕捉し回収する霧滴回収部と、回収した水を前記乾燥手段から排出する回収水排出部を備えたことにより、排気の冷却と水分削減による排気の熱風感の防止ができる。
【００１０】
第２の発明は、特に、第１の発明の混合促進手段は、壁面から混合通路に延伸させた突出端を有する面状体を流れ方向に順次その突出端の方向が異なるように交互に配置して、流れ方向を屈曲反転させる乱れ促進体を混合部に備えたことにより、斑なく混合して霧化を促進できるとともに、構成の簡素化がなされ、低コスト化できる。
【００１１】
第３の発明は、特に、第１の発明の混合促進手段は、細かな隙間が連通する連通路を多数有する多孔体を混合部に設けたことにより、多孔体による混合の促進と霧化した水分の捕捉に加えて、霧滴回収部との２重効果で水分捕捉性を向上でき、さらに構成の簡素化とコンパクト化により低コスト化できる。
【００１２】
第４の発明は、特に、第１〜第３のいずれか１つの発明の霧滴回収部は、細かな開口を多数有する網目状体としたことにより、通路断面全域にわたり水分の捕捉部分を均等に配置して捕捉性能を高めることができ、細かな開口の開口率を確保することで流体の流動抵抗を少なくできる。
【００１３】
第５の発明は、特に、第４の発明の網目状体は、流れ方向に複数配置したことにより、通路断面全域にわたり流体に含まれる霧滴との接触をし易くでき、流体の流動抵抗を少なく保つことができる。
【００１４】
第６の発明は、特に、第１〜第５のいずれか１つの発明の霧滴回収部は、筐体に熱的に接続した冷却部を備えたことにより、流体との接触部の温度を下げることで混合気中の水分の捕捉を促進でき、流体中の水分をより多く凝縮させることができる。
【００１５】
第７の発明は、特に、第１〜第６のいずれか１つの発明の霧滴回収部は、混合促進手段の下流側に配置したことにより、外気との混合により冷却され霧化を促進させた後に捕捉させることで、捕捉性能を高めることができる。
【００１６】
第８の発明は、特に、第１の発明の混合促進手段および霧滴回収部は、細かな隙間が連通する連通路を多数有する多孔体として一体化したことにより、細かな空隙部で混合が促進でき、さらに細かな空隙部では発生した霧滴が流動時に壁面に衝突して付着し易くなり、水分の回収性を向上できる。また、一体化により構成の簡素化とコンパクト化により、低コスト化できる。
【００１７】
第９の発明は、特に、第１の発明の回収水排出部は洗浄槽に連通させたことにより、捕捉した水分を洗浄槽を介して排水することで室内空間への水分の放出を低減して室内空間の快適性を高めることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態の食器洗い乾燥機の構成を示す断面図である。図１において、食器などの被洗浄物を収納する洗浄槽１の下方には、洗浄水を被洗浄物に噴出して循環させる洗浄ノズル２と洗浄水を加圧する洗浄ポンプ３を有する洗浄手段４と、洗浄水を加熱し昇温させる加熱手段５を配置している。また、洗浄槽１内の湿気を排出して洗浄槽１内を乾燥させるため外気を送風する送風機６、洗浄槽１内の湿気を排出する排気口７を乾燥手段９は有し、洗浄槽１にはその下方に外気を流入させる流入口１０を設け、その上方には洗浄槽１内の空気（洗浄槽内気）を排出させる流出口１１を設けている。
【００２０】
送風機６の下流側には風量を分配する風量分配手段１２を接続し、この風量分配手段１２の下流側には、外気を混合部１３に導入する外気通路１４と、洗浄槽１の流入口１０、洗浄槽１、流出口１１を経て混合部１３に連通する洗浄槽内気通路１５を配置している。
【００２１】
この風量分配手段１２は、外気通路１４と洗浄槽内気通路１５への流動抵抗を変化させて風量を分配するもので、外気通路１４と洗浄槽内気通路１５への開口面積を変化させる弁体部１６で風量を分配し、混合部１３における外気と洗浄槽内気との混合時の流量割合を変化させる。
【００２２】
また混合部１３は、その出口側を排気口７に連通させ、混合部１３の入口側を外気通路１４および洗浄槽内気通路１５である流出口１１に連通させるとともに、この混合部１３には、外気と洗浄槽内気との混合を促進する混合促進手段１７を外気と洗浄槽内気が合流する合流部１８の下流に配置している。
【００２３】
混合促進手段１７の下流側には、通路の断面積を大きくした拡大空間部１９を形成し、この拡大空間部１９に霧滴回収部２０を設けている。この霧滴回収部２０は高温高湿の洗浄槽内気に外気を混合させて冷却した時に過飽和となって霧化した水分を捕捉するもので、細かな開口を多数有し開口率が高く、流れ方向には長さが短く薄いメッシュなどの網目状体、発泡体、微細な穴明き板、ハニカム状体、不織布体あるいは綿状体など接触面積を拡大した網目状体２１で形成し、拡大空間部１９の通路断面積の全域にわたり設けている。
【００２４】
さらに、網目状体２１は流れ方向に複数配置したもので、流体との接触面積をさらに拡大して霧化した水分の捕捉性能を高めている。
【００２５】
霧滴回収部２０には、捕捉し回収した水分を乾燥手段９の通風経路から排出して洗浄槽１側に戻す回収水排出部２２を設けており、この回収水排出部２２は、ここでは洗浄水を排水する排水弁２３を備えた排水管２４に接続している。
【００２６】
洗浄槽１は、洗浄水を供給する給水弁２５を備えた給水管２６、被洗浄物などに付着していたゴミなどが洗浄手段４に流入しないように配置したフィルタ２７を備えるとともに、筐体２８から引き出すことができるスライド体２９に収納されている。このスライド体２９には外部と連通する通気口３０を設けている。なお、回収水排出部２２をフィルタ２７の下流側に開口させることにより排出した回収水が洗浄槽１で再蒸発するのを低減できる。
【００２７】
乾燥手段９の運転を制御する制御手段３１は、送風機６の風量を制御する風量制御部３２と、弁体部１６の開度を制御する開度制御部３３と、混合部１３の下流側に設けた温度検知部３４の検知温度を基に風量制御部３２あるいは開度制御部３３への制御量を設定する温度制御部３５を有している。
【００２８】
図２は、図１に示す混合促進手段１７を示したもので、この混合促進手段１７は、壁面３６から混合通路３７に延伸させた突出端３８を有する面状体３９を、流れ方向に順次その突出端３８の方向が異なるように交互に配置した乱れ促進体４０で形成し、混合通路３７の入口での通路に沿う流れ方向（図中白抜き矢印）を面状体３９によって遮り、図中黒矢印で示すように突出端３８を順次越えて迂回させた屈曲反転する流れにさせている。
【００２９】
さらに、順次配置した突出端３８の位置が互いに重なるオーバーラップＬｐを設けたもので、オーバーラップＬｐの長さは全通路幅Ｌｗに対して１／４（Ｌｐ＝Ｌｗ／４）から１／３（Ｌｐ＝Ｌｗ／３）程度以上の長さが好ましく、オーバーラップを確保することで直進する流れのパスの発生を防止し、攪拌混合される効果を高めている。このように、オーバーラップＬｐを設けることで、ほぼ直進できる流れのパスの発生を防いで、洗浄槽内気と外気の混合を一層促進できる。
【００３０】
図３は、図２に示す混合促進手段１７の他の構成例を示したもので、混合促進手段１７は、細かな隙間が連通する連通路４１を多数有する多孔体４２を混合部１３に設けたもので、多孔体４２としては金属、セラミック、樹脂など各種を利用できる。
【００３１】
以上のように構成された食器洗い乾燥機について、以下その動作、作用を説明する。まず、筐体２８からスライド体２９を引き出して被洗浄物である食器を洗浄槽１内に収納し、スライド体２９を元に戻して洗浄を開始する。洗浄運転開始とともに給水弁２５を開成して給水管２６から洗浄槽１に給水し、所定量の給水が行われると給水弁２５を閉成して給水停止し、加熱手段５および洗浄手段４である洗浄ポンプ３の運転により洗浄ノズル２から温水を噴出させて被洗浄物である食器に噴きつけ循環させる。洗浄水が噴出する反力で洗浄ノズル２部が回転することで被洗浄物に洗浄水を行き渡らせ、洗浄性を高めている。被洗浄物に付着していたゴミなどの異物は洗浄水の循環とともに流動してフィルタ２７に捕捉されて被洗浄物への再付着や洗浄手段４での詰りが防止される。
【００３２】
ここでは加熱手段５を運転して温水で洗浄する場合を示したが、被洗浄物の汚れが弱い場合は加熱手段５を運転させずに給水温度で洗浄すれば良く、また被洗浄物の汚れが強い場合は洗剤を入れて洗浄する。洗浄運転が終了すると排水弁２３を開成して洗浄水を排水管２４から筐体２８の外部に排水し、排水し終わると排水弁２３を閉成する。
【００３３】
次に行うすすぎ運転では洗剤を投入せずに、洗浄運転と同様に給水し、加熱手段５および洗浄ポンプ３の運転により洗浄ノズル２から温水を噴出させて被洗浄物である食器に噴きつけ循環させる。このすすぎ運転の後に行う被洗浄物を乾かす乾燥運転のため、すすぎ運転では被洗浄物を暖めておくのが好ましく、７０℃〜８０℃程度の高温水ですすぎ運転を実施すれば殺菌処理ができる。すすぎ運転終了後は洗浄運転終了時と同様に洗浄槽１内のすすぎ水を排水する。
【００３４】
次に行う乾燥運転では、すすぎ運転により高温高湿になっている洗浄槽１内の空気を排出して被洗浄物を乾かすため、送風機６を運転するとともに風量分配手段１２で外気通路１４と洗浄槽内気通路１５に分流させ、外気を混合部１３および洗浄槽１に送る。特に、高温水ですすぎ運転を行った場合は排気口７から洗浄槽１内の高温高湿の空気を直接排出しないように、送風機６の運転開始時には制御手段３１の開度制御部３３により外気通路１４側への風量が洗浄槽内気通路１５側への風量よりも多くなるように開口面積を制御する。
【００３５】
このように風量を制御して外気と洗浄槽内気を合流部１８から混合部１３に流入させ、外気により洗浄槽内気を冷却し、混合促進手段１７で流れの混合を十分行って、高温高湿の洗浄槽内気に含まれていた水分を冷却に伴って過飽和状態として霧化させる。
【００３６】
流れ方向を屈曲反転させる乱れ促進体４０を混合部１３に備えることにより、流れを満遍無く攪拌して斑なく混合させて冷却を促進して霧化を促進でき、さらに構成の簡素化ができて低コスト化できる。
【００３７】
また、混合促進手段１７として混合部１３に設けた細かな隙間が連通する連通路４１を多数有する多孔体４２により、合流や分散を繰り返す微細な屈曲通路を持つ多孔体４２による混合の促進と霧化の促進ができ、さらに構成の簡素化とコンパクト化により低コスト化できる。
【００３８】
霧化した水分を含む流れが拡大空間部１９に設けられた霧滴回収部２０に入ると、拡大空間部１９の通路断面積の全域にわたり設けられ、流体との接触面積を拡大した網目状体２１に霧化していた水分が衝突し、網目状体２１である霧滴回収部２０に付着して水分が回収される。通路断面全域にわたり水分捕捉部分を均等に配置して捕捉性能を高めることができ、細かな開口であっても開口率を高めて総断面積を確保することで流体の流動抵抗を少なくできる。
【００３９】
また、霧滴回収部２０を混合促進手段１７の下流側に配置して、霧化を促進した後に水分を捕捉させることで、捕捉性能を高めることができる。
【００４０】
さらに、網目状体２１を流れ方向に複数配置することにより、霧化した水分が霧滴回収部２０に一層衝突し易くなり、通路全域にわたって流体中の霧滴との接触がし易くなり、網目状体２１の開口の大きさを大きくできて流体の流動抵抗を少なく保つことができる。
【００４１】
また、混合部１３に多孔体４２を設けた場合では、多孔体４２による混合の促進と霧化した水分の捕捉に加えて、霧滴回収部との２重効果で水分捕捉性を向上できる。
【００４２】
また、多孔体４２を混合促進手段１７および霧滴回収部２０として一体化することで、細かな空隙部での混合の促進と、細かな空隙部では発生した霧滴が流動時に壁面に衝突して付着し易くなりので、水分の回収性を向上できる。また、一体化により構成の簡素化とコンパクト化により、低コスト化できる。
【００４３】
このようにして、霧化した水分を霧滴回収部２０で回収して水分量を低下させ、温度や湿度の斑を低減した均一な混合気を排気口７から排出する。
【００４４】
また、霧滴回収部２０で回収した水分は、回収水排出部２２を通って洗浄槽１下部の排水管２４に導き、洗浄槽１から排出する。捕捉した水分を洗浄槽を介して排水することで排気口７から室内空間へ排出される水分を低減して室内空間の快適性を高めることができる。さらに、回収水排出部２２をフィルタ２７の下流側に開口させることにより、排出した回収水が洗浄槽１で再蒸発するのを低減でき、乾燥運転終了後の放置状態での被洗浄物への結露発生などを低減できる。
【００４５】
さらに乾燥運転の進行に伴って、洗浄槽１内への外気の流入により洗浄槽内気の湿度が低下し、洗浄槽内気のエンタルピが下がるため排気口７から流出する排気の温度を所定値以下に冷却するに要する外気風量は少なくて済むようになる。従って、乾燥状態の進行に伴い混合部１３への外気風量は少なくすることができ、その分を洗浄槽内気通路１５側に振向けて洗浄槽１内への風量を増加させることで被洗浄物の乾燥性能を高めることができる。そこで、温度検知部３４の検知温度を基に温度制御部３５の信号により開度制御部３３で風量分配手段１２の弁体部１６をステッピングモータ（図示せず）等で駆動して開度を変化させ、洗浄槽内気通路１５側への風量割合を増加させて乾燥促進がなされる。
【００４６】
このようにして、乾燥運転時は高温高湿の洗浄槽内の空気（洗浄槽内気）に対し外気を冷却用として混合部で斑のない混合がなされ、排気の冷却と水分削減による排気の熱風感の防止ができる。
【００４７】
図４は、霧滴回収部２０の他の構成例を示したもので、霧滴回収部２０の外周側に冷却部４３を配置し、この冷却部４３は、筐体２８に熱接続した放熱部４４と熱伝導面４５を介して接触している。すなわち、冷却部４３は熱伝導面４５の一方を形成する冷却部側熱伝導体４６と第一の伝熱部材４７で熱接続し、放熱部４４は熱伝導面４５の他方を形成する放熱部側熱伝導体４８と第二の伝熱部材４９で熱接続することで、スライド体２９が筐体２８から引き出すことができるようにするとともに、冷却部４３と筐体２８は伝熱関係としている。また、霧滴回収部２０を構成する網目状体２１はその端部で冷却部４３と伝熱関係としている。
【００４８】
このように構成した霧滴回収部２０について、その動作、作用を説明する。乾燥運転では、高温高湿の洗浄槽内気に含まれていた水分を冷却に伴って過飽和状態として霧化させ、霧滴回収部２０では霧滴となって衝突した水分を捕捉して回収するだけでなく、冷却部４３およびこの冷却部４３に熱接続した網目状体２１の表面温度を下げることで混合気からの凝縮をさらに発生させて、混合気からより多くの水分の回収がなされる。
【００４９】
このように、霧滴回収部２０は筐体２８に熱的に接続した冷却部４３を備えたことにより、流体との接触部の温度を下げることで混合気中の水分の捕捉を促進でき、流体中の水分をより多く凝縮させることができる。
【００５０】
以上のように、本実施の形態においては、乾燥手段は、前記排気口の上流側に配置した外気と洗浄槽内気を混合する混合部と、前記混合部での外気と洗浄槽内気との混合を促進する混合促進手段と、混合部で過飽和となって霧化した水分を捕捉し回収する霧滴回収部と、回収した水を乾燥手段から排出する回収水排出部を備えたことにより、排気の冷却と水分削減による排気の熱風感の防止ができる。
【００５１】
また、本実施の形態の混合促進手段は、壁面から混合通路に延伸させた突出端を有する面状体を流れ方向に順次その突出端の方向が異なるように交互に配置して、流れ方向を屈曲反転させる乱れ促進体を混合部に備えたことにより、斑なく混合して霧化を促進できるとともに、構成の簡素化がなされ、低コスト化できる。
【００５２】
また、本実施の形態の混合促進手段は、細かな隙間が連通する連通路を多数有する多孔体を混合部に設けたことにより、多孔体による混合の促進と霧化した水分の捕捉に加えて、霧滴回収部との２重効果で水分捕捉性を向上でき、さらに構成の簡素化とコンパクト化により低コスト化できる。
【００５３】
また、本実施の形態の霧滴回収部は、細かな開口を多数有する網目状体としたことにより、通路断面全域にわたり水分の捕捉部分を均等に配置して捕捉性能を高めることができ、細かな開口の開口率を確保することで流体の流動抵抗を少なくできる。
【００５４】
また、本実施の形態の網目状体は、流れ方向に複数配置したことにより、通路断面全域にわたり流体に含まれる霧滴との接触をし易くでき、流体の流動抵抗を少なく保つことができる。
【００５５】
また、本実施の形態の霧滴回収部は、筐体に熱的に接続した冷却部を備えたことにより、流体との接触部の温度を下げることで混合気中の水分の捕捉を促進でき、流体中の水分をより多く凝縮させることができる。
【００５６】
また、本実施の形態の霧滴回収部は、混合促進手段の下流側に配置したことにより、外気との混合により冷却され霧化を促進させた後に捕捉させることで、捕捉性能を高めることができる。
【００５７】
また、本実施の形態の混合促進手段および霧滴回収部は、細かな隙間が連通する連通路を多数有する多孔体として一体化したことにより、細かな空隙部で混合が促進でき、さらに細かな空隙部では発生した霧滴が流動時に壁面に衝突して付着し易くなり、水分の回収性を向上できる。また、一体化により構成の簡素化とコンパクト化により、低コスト化できる。
【００５８】
また、本実施の形態の回収水排出部は洗浄槽に連通させたことにより、捕捉した水分を洗浄槽を介して排水することで室内空間への水分の放出を低減して室内空間の快適性を高めることができる。
【産業上の利用可能性】
【００５９】
以上のように、本発明にかかる食器洗い乾燥機は、乾燥時の排気温度の熱風感の確実な防止と高温高湿の空気条件に応じた冷却ができるので、蒸気を発生する炊飯器や電気湯沸し器などの家庭用機器などに適用することができる。
【図面の簡単な説明】
【００６０】
【図１】本発明の実施の形態１における食器洗い乾燥機の構成図
【図２】同食器洗い乾燥機の混合促進手段の断面図
【図３】同食器洗い乾燥機の混合促進手段の他の構成を示す断面図
【図４】同食器洗い乾燥機の霧滴回収部の他の構成を示す断面図
【図５】従来の食器洗い乾燥機の構成図
【符号の説明】
【００６１】
１  洗浄槽
４  洗浄手段
５  加熱手段
６  送風機
７  排気口
９  乾燥手段
１３  混合部
１７  混合促進手段
２０  霧滴回収部
２１  網目状体
２２  回収水排出部
３６  壁面
３７  混合通路
３８  突出端
３９  面状体
４０  乱れ促進体
４１  連通路
４２  多孔体
４３  冷却部
【図１】
2008073398.tif 000003
【図２】
2008073398.tif 000004
【図３】
2008073398.tif 000005
【図４】
2008073398.tif 000006
【図５】
2008073398.tif 000007